(57)【要約】  光スプリッタを介して複数の加入者側終端装置を局側終端装置に接続したＰＯＮシステムに関し、加入者側終端装置に無線基地局を接続し、無線通信を行う。  局側終端装置ＯＬＴと光スプリッタＰＳＴを介して光回線によりそれぞれ接続した複数の加入者側終端装置ＯＮＵ＃１〜ＯＮＵ＃ｎとを有するＰＯＮシステムであって、加入者側終端装置ＯＮＵ＃ｎに、移動端末ＭＳとの間で無線通信を行う無線基地局ＢＳを接続した構成を備え、局側終端装置ＯＬＴは、加入者側終端装置ＯＮＵ＃ｎとの間の往復伝送遅延時間を測定し、無線基地局ＢＳの無線通信の時刻同期化の為のタイムスタンプと、往復伝送遅延時間ＲＴＴの１／２の遅延時間情報とを、加入者側終端装置ＯＮＵ＃ｎを介して無線基地局ＢＳへ送信する手段を備えている。
2009118878.tif 000002
【特許請求の範囲】
【請求項１】
局側終端装置と光スプリッタを介して光回線によりそれぞれ接続した複数の加入者側終端装置とを有するＰＯＮシステムに於いて、
前記加入者側終端装置に、移動端末との間で無線通信を行う無線基地局を備え、
前記局側終端装置は、前記加入者側終端装置との間の往復伝送遅延時間を測定し、前記無線基地局の前記無線通信の時刻同期化の為のタイムスタンプと前記往復伝送遅延時間の１／２の遅延時間情報とを前記加入者側終端装置を介して前記無線基地局へ送信する手段を備えた
ことを特徴とするＰＯＮシステム。
【請求項２】
前記局側終端装置は、前記無線基地局に対する前記タイムスタンプを、ＧＰＳ受信装置からの時刻同期信号により形成する構成を備えたことを特徴とする請求項１記載のＰＯＮシステム。
【請求項３】
前記局側終端装置は、前記加入者側終端装置との間の往復伝送遅延時間と、該加入者側終端装置と前記無線基地局との間の往復伝送遅延時間とをそれぞれ測定し、前記無線基地局の前記無線通信の時刻同期化の為のタイムスタンプと前記加入者側終端装置との間の前記往復伝送遅延時間の１／２と、前記加入者側終端装置と前記無線基地局との間の前記往復伝送遅延時間の１／２とを、前記加入者側終端装置を介して前記無線基地局へ送信する手段を備えたことを特徴とする請求項１記載のＰＯＮシステム。
【請求項４】
前記局側終端装置と前記加入者側終端装置と前記無線基地局との間を、第１の光スプリッタを介した伝送経路と第２の光スプリッタを介した伝送経路との何れか一方を現用系、他方を予備系として切替える二重化切替部を介して接続した構成を備えたことを特徴とするＰＯＮシステム。
【発明の詳細な説明】
【技術分野】
【０００１】
本発明は、ＴＤＤ（Ｔｉｍｅ  Ｄｉｖｉｓｉｏｎ  Ｄｕｐｌｅｘｉｎｇ）方式等の時刻同期を必要とする無線通信方式を適用する無線基地局を、加入者側終端装置（ＯＮＵ；Ｏｐｔｉｃａｌ  Ｌｉｎｅ  Ｕｎｉｔ）に接続したＰＯＮシステムに関する。
【背景技術】
【０００２】
ＰＯＮ（Ｐａｓｓｉｖｅ  Ｏｐｔｉｃａｌ  Ｎｅｔｗｏｒｋ）システムは、光信号の分配及び合波を行う光スプリッタと局側終端装置ＯＬＴ（Ｏｐｔｉｃａｌ  Ｌｉｎｅ  Ｔｅｒｍｉｎａｌ）とを１本の光回線により接続し、光スプリッタと複数の加入者側終端装置ＯＮＵ（Ｏｐｔｉｃａｌ  Ｌｉｎｅ  Ｕｎｉｔ）とそれぞれ光回線により接続し、局側終端装置ＯＬＴから各加入者側終端装置ＯＮＵに対する情報を、それぞれ送信先アドレスを付加してパケット化し、光信号に変換して順次送信する。光スプリッタは、局側終端装置ＯＬＴからの光信号を各加入者側終端装置ＯＮＵに対して同時に分配して送信する。各加入者側終端装置ＯＮＵは、送信アドレスに従って受信処理を行う。又送信要求のある加入者側終端装置ＯＮＵに対しては、局側終端装置ＯＬＴから送信タイミング情報を通知し、加入者側終端装置ＯＮＵは、通知されたタイミングに従って送信する。それにより、光スプリッタにより各加入者側終端装置ＯＮＵからの光信号は時間的に重ならないように合成されて、局側終端装置ＯＬＴに転送される。【０００３】
又携帯電話等の移動端末と無線基地局との間の通信方式は、既に各種提案され、且つ実用化されている。その通信方式として、例えば、ＴＤＤ（Ｔｉｍｅ  Ｄｉｖｉｓｉｏｎ  Ｍｕｌｔｉｐｌｅ  Ａｃｃｅｓｓ）方式は、割当てられたタイミングで送信するものであり、移動端末は、複数の無線基地局のサービスエリアを移動して通信を継続する場合もあり、隣接する無線基地局のサービスエリアは一部重なるように構成する場合が一般的である。従って、それぞれのサービスエリア間では、移動端末が指定されたタイミングで送受信する為に、無線基地局の送受信タイミングを同期化する必要がある。その為に、原子時計をそれぞれの無線基地局に設けて時刻同期化を図ることが考えられる。しかし、原子時計は高価である。又全地球測位システムＧＰＳ（Ｇｌｏｂａｌ  Ｐｏｓｉｔｉｏｎｉｎｇ  Ｓｙｓｔｅｍ）の受信装置を設けることにより、無線基地局の送受信タイミングの同期化を図ることも可能である。【０００４】
各種情報通信に於ける時刻同期手段としては、ＧＰＳ機能を利用したシステムが既に各種提案されており、例えば、複数の屋外中継車と主局との間の同期タイミングを、ＧＰＳ衛星からの受信信号を基にしたＧＰＳ時刻情報と、標準時としての時刻情報とを用いて校正した時刻を、送受信処理のタイミング信号とする手段が知られている（例えば、特許文献１参照）。又複数の無線基地局相互間の時刻同期を行う場合に、少なくとも４個のＧＰＳ衛星からの信号を受信することにより正確な時刻情報を得ることができるが、無線基地局の設置場所等により、４個のＧＰＳ衛星からの信号を全部受信できない場合、少ない個数のＧＰＳ衛星からの信号を受信して求めた不正確な時刻情報を、４個のＧＰＳ衛星からの信号を受信できる無線基地局からの正確な時刻情報を受信すると共に、その時刻情報の伝送距離情報を求めて、伝送遅延等の校正処理により正確な時刻情報を得る手段も提案されている（例えば、特許文献２参照）。【０００５】
又ＰＯＮシステムに於いて、光スプリッタにより合波した光信号を直接的に光増幅して中継伝送するものではなく、一旦電気信号に変換し、光信号レベルに対応した電気信号レベルを同一となるように補正して、光信号に変換して中継伝送する手段や、スプリッタにより合波した光信号を電気信号に変換し、光信号間の間隔に相当する位置に同期パターンやアイドルパターンを挿入して、光信号に変換する中継手段等が提案されている（例えば、特許文献３，４参照）。
【特許文献１】特開平１１−１１８９６２号公報
【特許文献２】特開２００５−２２３７７２号公報
【特許文献３】特開２００７−２２１６８８号公報
【特許文献４】特開２００８−１７３２３号公報
【発明の開示】
【発明が解決しようとする課題】
【０００６】
ＰＯＮシステムの加入者側終端装置ＯＵＮには、単一又は複数のパソコン等の通信端末が接続され、局側終端装置ＯＬＴを介して他の通信装置との間でデータ通信する構成が一般的である。例えば、図５に示すように、局側終端装置ＯＬＴと光スプリッタと複数の加入者側終端装置ＯＮＵ＃１〜ＯＮＵ＃ｎとを有し、例えば、上り方向と下り方向との光波長を１．３μｍと１．５μｍとした波長分割多重化方式により通信し、下り方向の光信号は、光スプリッタにより全加入者側終端装置ＯＮＵ＃１〜ＯＮＵ＃ｎに分配し、各加入者側終端装置ＯＮＵ＃１〜ＯＮＵ＃ｎは、アドレス情報に従って自装置宛の光信号を受信処理する。又各加入者側終端装置ＯＮＵ＃１〜ＯＮＵ＃ｎは、局側終端装置ＯＬＴによりそれぞれ指定された送信時刻情報に従って、光信号＃１、＃２、＃ｎとして示すように送信する。光スプリッタに於いて合成することにより、各光信号＃１、＃２、＃ｎは、相互に重なることなく局側終端装置ＯＬＴに送信される。これらの光信号＃１、＃２、＃ｎは、電気信号に変換されて、図示を省略したネットワークを介してそれぞれの宛先対応に送信される。その場合の上り、下りの光信号は、波長が異なり、同一ルートでも伝送遅延が異なるが、アクセス系で距離２０ｋｍ、波長差２００ｎｍと仮定した場合、３０ｎｓ程度の遅延差であるから、以下の説明に於いては、上り、下りの光信号の遅延差を無視する。【０００７】
加入者側終端装置ＯＮＵ＃１〜ＯＮＵ＃ｎは、光スプリッタから同一距離に配置されていない場合が多く、従って、加入者終端装置ＯＮＵ＃１〜ＯＮＵ＃ｎ対応に伝送遅延時間が相違することにより、正確な時間管理を行わないと、光スプリッタに於いて異なる加入者側終端装置からの光信号が重なることになる。その為に、局側終端装置ＯＬＴから加入者側終端装置に対して発見プロセス（Ｄｉｓｃｏｖｅｒｙ  Ｇａｔｅ）により、例えば、図６に示すように、局側終端装置ＯＬＴに於ける時刻ｔ０に於いて、その時刻をタイムスタンプｔ０（Ｔｉｍｅｓｔａｍｐ＝ｔ０）として設定した測定パケットを、加入者側終端装置ＯＮＵを指定して送信する。この測定パケットをＴｄｗｎ後に加入者側終端装置ＯＮＵが受信すると、自装置の時刻をｔ０に設定し、その時刻ｔ０から予め定めた待ち時間Ｔｗ後の時刻ｔ１をタイムスタンプｔ１（Ｔｉｍｅｓｔａｍｐ＝ｔ１）として、局側終端装置ＯＬＴへ送信する。局側終端装置ＯＬＴは、Ｔｕｐ後の時刻ｔ２に於いて受信するので、局側終端装置ＯＬＴと加入者側終端装置ＯＮＵとの間の往復伝送遅延時間ＲＴＴ（Ｒｏｕｎｄ  Ｔｒｉｐ  Ｔｉｍｅ）は、ＲＴＴ＝Ｔｒｅｓ−Ｔｗ＝（ｔ２−ｔ０）−（ｔ１−ｔ０）＝ｔ２−ｔ１により求めることができる。このように、局側終端装置ＯＬＴは、各加入者側終端装置ＯＮＵ＃１〜ＯＮＵ＃ｎとの間についての往復伝送遅延時間ＲＴＴをそれぞれ測定することができる。それにより、局側終端装置ＯＬＴは、加入者側終端装置からの送信要求に対して、光スプリッタに於いて送信光信号が重ならないように、送信タイミングを指定する。【０００８】
加入者側終端装置ＯＮＵには通常パソコン（パーソナルコンピュータ）等の通信端末を接続するシステム構成が一般的であり、このような通信端末との間の通信は、厳格な送受信時刻制御を必要としないものである。又無線通信を行う無線ＬＡＮの場合、アクセスポイントの周波数を相違させることにより、アクセスポイント間の干渉等が生じないが、無線基地局を接続し、携帯電話等の移動端末との間の無線通信を行う場合、例えばＴＤＤ方式の時分割多重通信方式等を適用すると、この無線基地局と他の無線基地局との間では、相互干渉を避ける為に、時刻同期化を行う必要がある。このような時刻同期を行う為、前述のように、原子時計を設けた構成とすると、コストアップとなって経済的に実現困難となる。【０００９】
又各無線基地局にそれぞれＧＰＳ受信装置を設けて、絶対時刻同期化を図ることが考えられる。しかし、無線基地局の設置場所の制約等により、ＧＰＳ衛星からの電波を充分に受信できない場合がある。その場合に、前述の従来例の特許文献１，２等に示された技術手段を適用することが考えられる。このような補助手段を設けた場合であっても、局側終端装置ＯＬＴは、加入者側終端装置ＯＮＵの送信タイミングを指定する制御機能を有するとしても、加入者側終端装置ＯＮＵに接続された無線基地局の無線通信の時刻同期制御を行う手段を備えていないから、無線基地局に時刻同期を必要とするＴＤＤ方式等を適用することができないものであった。【００１０】
本発明は、前述の従来例の問題点を解決することを目的とし、ＰＯＮシステムに於ける加入者側終端装置ＯＮＵに接続された無線基地局相互間の時刻同期を可能とし、コストアップすることなく、ＴＤＤ方式等を適用した無線通信を可能とするものである。又本発明は、ＰＯＮシステムの特別の場合に相当する１分岐システム（ポイントーツウーポイント）にも適用可能であり、時刻同期信号を有線システムから無線基地局へ伝送するシステムにも適用可能である。
【課題を解決するための手段】
【００１１】
本発明のＰＯＮシステムは、局側終端装置と光スプリッタを介して光回線によりそれぞれ接続した複数の加入者側終端装置とを有するＰＯＮシステムであって、加入者側終端装置に、移動端末との間で時分割無線通信を行う無線基地局を備え、局側終端装置は、加入者側終端装置との間の往復伝送遅延時間を測定し、無線基地局の無線通信の時刻同期化の為のタイムスタンプと、往復伝送遅延時間の１／２の遅延時間情報とを、加入者側終端装置を介して無線基地局へ送信する手段を備えている。【００１２】
又局側終端装置は、無線基地局に対するタイムスタンプを、ＧＰＳ受信装置からの時刻同期信号により形成する構成を備えることができる。又局側終端装置は、加入者側終端装置との間の往復伝送遅延時間と、この加入者側終端装置と無線基地局との間の往復伝送遅延時間とをそれぞれ測定し、無線基地局の無線通信の時刻同期化の為のタイムスタンプと、加入者側終端装置との間の往復伝送遅延時間の１／２と、加入者側終端装置と無線基地局との間の往復伝送遅延時間の１／２とを、加入者側終端装置を介して無線基地局へ送信する手段を備えることができる。【００１３】
又局側終端装置と加入者側終端装置と無線基地局との間を、第１の光スプリッタを介した伝送経路と第２の光スプリッタを介した伝送経路との何れか一方を現用系、他方を予備系として切替える二重化切替部を介して接続した構成とすることができる。
【発明の効果】
【００１４】
ＰＯＮシステムの加入者側終端装置に無線基地局を接続し、移動端末との間で時分割通信方式等により無線通信する場合の時刻同期を、例えば、ＧＰＳ受信装置による時刻情報を基準とし、局側終端装置と加入者側終端装置との間の往復伝送遅延時間を計測して、タイムスタンプによる時刻情報と伝送遅延時間とを通知することにより、受信した時刻情報を伝送遅延時間に応じて補正することにより、無線基地局では無線通信の為の時刻同期を正確に行うことができる。
【図面の簡単な説明】
【００１５】
【図１】本発明の実施例１の説明図である。
【図２】本発明の実施例１の要部機能ブロック図である。
【図３】本発明の実施例２の処理説明図である。
【図４】本発明の実施例３の説明図である。
【図５】従来例の説明図である。
【図６】従来例の説明図である。
【発明を実施するための最良の形態】
【００１６】
本発明のＰＯＮシステムは、図１を参照して説明すると、局側終端装置ＯＬＴと光スプリッタＰＳＴを介して光回線によりそれぞれ接続した複数の加入者側終端装置ＯＮＵ＃１〜ＯＮＵ＃ｎとを有するＰＯＮシステムであって、加入者側終端装置ＯＮＵ＃ｎに、移動端末ＭＳとの間で時分割無線通信を行う無線基地局ＢＳを備え、局側終端装置ＯＬＴは、加入者側終端装置ＯＮＵ＃ｎとの間の往復伝送遅延時間を測定し、無線基地局ＢＳの時分割無線通信の時刻同期化の為のタイムスタンプと、往復伝送遅延時間ＲＴＴの１／２の遅延時間情報とを、加入者側終端装置ＯＮＵ＃ｎを介して無線基地局ＢＳへ送信する手段を備えている。
【実施例１】
【００１７】
図１は、本発明の実施例１の説明図であり、（Ａ）はシステムの概要説明図、（Ｂ）は伝送パケットの説明図である。図１の（Ａ）に於いて、局側終端装置ＯＬＴに光スプリッタＰＳＴを介して複数の加入者側終端装置ＯＮＵ＃１〜ＯＮＵ＃ｎを、それぞれ光回線により接続したＰＯＮシステムを構成し、複数の加入者側終端装置ＯＮＵ＃１〜ＯＮＵ＃ｎの中の１個の加入者側終端装置ＯＮＵ＃ｎに、ＴＤＤ方式等を適用して移動端末ＭＳとの間の無線通信を行う無線基地局ＢＳを接続し、この無線基地局ＢＳのサービスエリア内の単一又は複数の移動端末ＭＳが、局側終端装置ＯＬＴに接続したネットワーク（図示を省略）を介して有線又は無線の加入者との間で、音声通話やデータ通信を行うシステム構成であり、例えば、ＧＰＳ受信装置ＧＰＳＲからの時刻情報を用いた時刻同期信号ＴＳＳを局側終端装置ＯＬＴに入力し、この時刻同期信号ＴＳＳを基に、局側終端装置ＯＬＴから無線基地局ＢＳの時刻同期化の制御を行う。なお、無線基地局ＢＳは、他の加入者側終端装置ＯＮＵにも接続したシステム構成、又は、図示を省略した他の局側終端装置ＯＬＴ配下となる加入者側終端装置ＯＮＵに接続した構成、又は既存のネットワークに接続した構成とすることができる。ＰＯＮシステムの加入者側終端装置に接続された無線基地局ＢＳは、局側終端装置ＯＬＴから加入者側終端装置ＯＮＵ＃ｎを介して伝送された時刻情報によりＴＤＤ方式等を適用する為の時刻同期化の制御を行うものである。又時刻同期信号ＴＳＳとしては、例えば、同期網に於ける網同期信号等の安定化された同期信号を、他の無線基地局と共に使用する構成とすることも可能である。【００１８】
図１の（Ｂ）に示す伝送パケットは、局側終端装置ＯＬＴから加入者側終端装置ＯＮＵ＃ｎへ送信する伝送パケットの一例の要部を示し、ヘッダ部のＤＡは加入者側終端装置ＯＮＵ＃ｎを示す送信先アドレス、ＳＡは局側終端装置ＯＬＴを示す送信元アドレスであり、局側終端装置ＯＬＴと加入者側終端装置ＯＮＵとの間の論理的接続の識別の為の論理リンク識別子ＬＬＩＤ（Ｌｏｇｉｃａｌ  Ｌｉｎｋ  Ｉｄｅｎｔｉｆｉｅｒ）を、伝送パケットの図示を省略した例えばプリアンブル内に設ける。又図示を省略した伝送パケットのタイプとレングスとの情報を含むものであり、又情報ペイロードに、時刻同期の為のタイムスタンプＴＰと、伝送遅延時間ＴＤ（往復伝送遅延時間ＲＴＴの１／２）との情報を付加する。加入者側終端装置ＯＮＵ＃ｎは、この伝送遅延時間ＴＤの情報とタイムスタンプＴＰによる時刻情報とを用いて、無線基地局ＢＳの時刻同期化処理の制御を行うものである。この場合のタイムスタンプＴＰは、局側終端装置ＯＬＴに於いてＧＰＳ受信装置ＧＰＳＲからの時刻情報を用いた時刻同期信号ＴＳＳを基に生成する。加入者側終端装置ＯＮＵ＃ｎは、このタイムスタンプＴＰと伝送遅延時間ＴＤとを無線基地局ＢＳへ送信し、無線基地局ＢＳは、予め設定された送受信タイミング間隔を、タイムスタンプＴＰによる時刻情報を、伝送遅延時間ＴＤの情報により補正して、時分割無線通信を行う。従って、ＧＰＳ受信装置ＧＰＳＲによる時刻同期信号ＴＳＳに基づいて、高精度で時分割無線通信を行うことができる。【００１９】
図２は、本発明の実施例１の要部機能ブロック図であり、局側終端装置ＯＬＴと光スプリッタＰＳＴを介して光回線により接続された加入者側終端装置ＯＮＵと、この加入者側終端装置ＯＮＵに接続された無線基地局ＢＳとを示し、ＧＰＳ衛星受信装置や移動端末については図示を省略している。又１１は送受信制御部、１２は時刻同期化処理部、１３は光電変換部（Ｏ／Ｅ）、１４は電光変換部（Ｅ／Ｏ）、１５、２１は光信号分離合成部、２２は電光変換部（Ｅ／Ｏ）、２３は光電変換部（Ｏ／Ｅ）、２４は時刻同期化処理部、２５は送受信制御部、２６は入出力インタフェース部を示す。【００２０】
局側終端装置ＯＬＴは、図示を省略したネットワーク側との間の送受信処理及びＧＰＳ受信装置等からの時刻情報ＴＳＳの受信処理を行う送受信制御部１１と、加入者側終端装置ＯＮＵとの間の往復伝送遅延時間ＲＴＴの測定処理手段を含み、加入者側終端装置ＯＮＵ及び無線基地局ＢＳに対する時刻情報の送信処理等を行う時刻同期化処理部１２と、光信号と電気信号とのそれぞれ変換処理を行う光電変換部１３及び電光変換部１４と、電光変換部１４からの光信号を送信し、受信した光信号を光電変換部１３に入力する光信号分離合成部１５とを含む手段を備えている。【００２１】
又加入者側終端装置ＯＮＵは、光スプリッタＰＳＴに接続された光信号分離合成部２１と、送信信号を光信号に変換する光電変換部２２と、受信した光信号を電気信号に変換する光電変換部２３と、局側終端装置ＯＬＴからの発見プロセス等に従った時刻情報の送受信により、無線基地局ＢＳの時刻同期を含めて正確な時刻情報ＴＳＳに対して時刻同期化を行う時刻同期化処理部２４と、無線基地局ＢＳとの間の送受信処理を行う入出力インタフェース部２６を含む手段を備えている。【００２２】
局側終端装置ＯＬＴの時刻同期化処理部１２は、光スプリッタＰＳＴを介して接続された加入者側終端装置ＯＮＵとの間の往復伝送遅延時間ＲＴＴを、前述の発見プロセス等に従った処理により測定し、ＧＰＳ受信装置からの時刻情報ＴＳＳを基に、図１の（Ｂ）に示す伝送パケットのタイムスタンプＴＰと伝送遅延時間ＴＤ（＝ＲＴＴ／２）とを形成して加入者側終端装置ＯＮＵへ通知する。加入者側終端装置ＯＮＵは、タイムスタンプＴＰと伝送遅延時間ＴＤとを基に、無線基地局ＢＳに於ける送受信時刻同期の為の時刻情報を形成して通知する。この時刻情報は、ＧＰＳ受信装置からの時刻情報ＴＳＳを基にして、伝送遅延時間ＴＤにより補正したものに相当し、正確な時刻情報を示すものであるから、無線基地局ＢＳに於ける送受信タイミング制御を、他の無線基地局との間で同期化することができる。
【実施例２】
【００２３】
図３は、本発明の実施例２の時刻同期化の処理説明図であり、（Ａ）は往復伝送遅延時間測定の説明図、（Ｂ）は伝送パケットの説明図であって、加入者側終端装置と無線基地局との間の伝送遅延時間を無視できない場合、補正処理により、時刻同期の正確さを向上するものであり、図３の（Ａ）は、局側終端装置ＯＬＴと加入者側終端装置ＯＮＵと無線基地局ＢＳとのそれぞれの間の伝送遅延時間を、発見プロセスに従って求める過程を示すものである。即ち、局側終端装置ＯＬＴに於ける時刻ｔ０（ｌｏｃａｌ  ｔｉｍｅ＝ｔ０）を設定した測定パケットを、局側終端装置ＯＬＴから加入者側終端装置ＯＮＵへ送出する。加入者側終端装置ＯＮＵは、この測定パケットを受信して、自装置の時刻をｔ０にセットし、且つ無線基地局ＢＳに対して転送する。無線基地局ＢＳも自装置の時刻としてｔ０（ｌｏｃａｌ  ｔｉｍｅ＝ｔ０）にセットし、予め設定された待ち時間後に、無線基地局ＢＳの時刻ｔ１（ｌｏｃａｌ  ｔｉｍｅ＝ｔ１）をタイムスタンプとして付加した測定パケットを加入者側終端装置ＯＮＵへ送出する。【００２４】
加入者側終端装置ＯＮＵは、自局に設定した時刻ｔ０（ｌｏｃａｌ  ｔｉｍｅ＝ｔ０）を基にして、無線基地局ＢＳから返送された測定パケットを時刻ｔ２に於いて受信すると、この到着時刻ｔ２と、時刻ｔ０から所定の待ち時間後の時刻ｔ３とを、タイムスタンプとして付加した測定パケットを、時刻ｔ３に局側終端装置ＯＬＴへ送出する。局側終端装置ＯＬＴは、時刻ｔ４にこの測定パケットを受信すると、局側終端装置ＯＬＴと加入者側終端装置ＯＮＵとの間の往復伝送遅延時間ＲＴＴ（＝ｔ４−ｔ３）と、加入者側終端装置ＯＮＵと無線基地局ＢＳとの間の往復伝送遅延時間ＲＴＴ（＝ｔ２−ｔ１）とを求めることができる。この加入者側終端装置ＯＮＵと無線基地局ＢＳとの間の往復伝送遅延時間ＲＴＴは、局側終端装置ＯＬＴと加入者側終端装置ＯＮＵとの間の往復伝送遅延時間ＲＴＴの補正分に相当する。【００２５】
局側終端装置ＯＬＴは、加入者側終端装置ＯＮＵを介して無線基地局ＢＳに送信するパケットを、例えば、図３の（Ｂ）に示すように、送信先アドレスＤＡと送信元アドレスＳＡとをヘッダに付加し、情報ペイロードに、時刻同期の為のタイムスタンプＴＳと、局側終端装置ＯＬＴと加入者側終端装置ＯＮＵとの間の往復伝送遅延時間ＲＴＴの１／２に相当する伝送遅延時間ＴＤと、加入者側終端装置ＯＮＵと無線基地局ＢＳとの間の往復伝送遅延時間ＲＴＴの１／２に相当する伝送遅延時間ＴＤ１とを付加した構成とする。この場合のタイムスタンプＴと伝送遅延時間ＴＤとは、図１の（Ｂ）に示す場合と同様であるが、加入者側終端装置ＯＮＵと無線基地局ＢＳとの間の伝送遅延時間も考慮しなければならない場合に、補正分に相当したものとなり、加入者側終端装置ＯＮＵと無線基地局ＢＳとの間の距離が長い場合の伝送遅延分を補正することができる。
【実施例３】
【００２６】
図４は、本発明の実施例３の説明図であり、ＯＬＴは局側終端装置、ＩＦ１，ＩＦ２はＰＯＮインタフェース、ＧＰＳＲはＧＰＳ受信装置、ＰＳＴ１、ＰＳＴ２は光スプリッタ、ＯＮＵ＃１〜ＯＮＵ＃ｎは加入者側終端装置、ＳＷは二重化切替部、ＢＳは無線基地局、ＭＳは移動端末を示す。ＧＰＳ受信装置ＧＰＳＲからの時刻同期信号ＴＳＳを基に、無線基地局ＢＳに於ける無線送受信の時刻同期制御を行う構成は、前述の各実施例１，２と同様であり、この実施例３に於いては、無線基地局ＢＳを接続した加入者側終端装置ＯＮＵ＃ｎと局側終端装置ＯＬＴとの間を、光スプリッタＰＳＴ１を介した経路と、光スプリッタＰＳＴ２を介した経路との二重化構成とし、何れか一方を現用系、他方を予備系として、現用系伝送経路の障害発生時には、二重化切替部ＳＷによって予備系伝送経路に切替える。それにより、無線基地局ＢＳを介した移動端末ＭＳによる無線通信の信頼性を向上するものである。【００２７】
又局側終端装置ＯＬＴと各加入者側終端装置ＯＮＵ＃１〜ＯＮＵ＃ｎとの間の光スプリッタＰＳＴ１を介した伝送経路の往復伝送遅延時間ＲＴＴ測定を前述のように行って、局側終端装置ＯＬＴに於いて加入者側終端装置ＯＮＵ＃１〜ＯＮＵ＃ｎ対応に記憶し、且つ必要に応じて、無線基地局ＢＳと加入者側終端装置ＯＮＵ＃ｎとの間の往復伝送遅延時間ＲＴＴを測定して、局側終端装置ＯＬＴと加入者側終端装置ＯＮＵ＃ｎとの間の往復伝送遅延時間補正値として記憶する。又局側終端装置ＯＬＴのＰＯＮインタフェースＩＦ２と光スプリッタＰＳＴ２を介して接続された加入者側終端装置との間についても同様に往復伝送遅延時間ＲＴＴを測定するもので、その場合の加入者側終端装置ＯＮＵ＃ｎに対しては、現用予備切替時点の発見プロセスによる測定パケットの送受信により測定することができる。従って、現用予備切替えによっても、無線基地局ＢＳに於ける時刻同期を継続して維持することができる。【００２８】
又無線基地局ＢＳと二重化切替部を介して、光スプリッタＰＳＴ１に接続した現用系の加入者側終端装置と、光スプリッタＰＳＴ２に接続した予備系の加入者側終端装置とを接続し、無線基地局ＢＳに対して、二重化切替部により、現用系の加入者側終端装置と予備系の加入者終端装置とを、現用系の障害発生により予備系に切替える構成とすることも可能である。
【産業上の利用の可能性】
【００２９】
局側終端装置ＯＬＴと加入者側終端装置ＯＮＵと無線基地局ＢＳとを含み、移動端末ＭＳと無線基地局ＢＳとの間で時刻同期を必要とする無線通信を行うシステムに適用可能であり、電気信号による伝送系と光信号による伝送系と無線信号による伝送系とを含めて、無線通信の時刻同期化により、無線基地局ＢＳは無線通信を安定に行うことができる。
【図１】
2009118878.tif 000003
【図２】
2009118878.tif 000004
【図３】
2009118878.tif 000005
【図４】
2009118878.tif 000006
【図５】
2009118878.tif 000007
【図６】
2009118878.tif 000008
【国際調査報告】
2009118878.tif 000009
2009118878.tif 000010
2009118878.tif 000011
2009118878.tif 000012